(57)【要約】【課題】２つのバッチ動作を交互に切り換えて除湿動作を行う調湿装置において、室内へ供給される除湿空気の温度変動を抑制する。【解決手段】調湿装置（10）は、調湿機構（10a）から室内側へ供給される除湿空気の温度を調節するインダクションユニット（100）を備え、インダクションユニット（100）は、ハウジング（101）と、ハウジング（101）内に形成され、調湿機構（10a）から室内側へ供給される除湿空気が１次空気として通過する駆動空気通路（109）と、ハウジング（101）内に形成され、駆動空気通路（109）の１次空気によって室内空気を２次空気として吸引する吸引空気通路（110）とを備え、駆動空気通路（109）において、２次空気と１次空気とを合流させて室内に吹き出すよう構成されている。【選択図】図１
2010286197.tif 000002
【特許請求の範囲】
【請求項１】
内部を空気が流れるケーシング（11）に収容され且つ空気中の水分が吸着される第１及び第２の吸着部材（51,52）を備え、該第１の吸着部材（51）で水分を吸着させた空気を室内側へ供給すると共に加熱再生した第２の吸着部材（52）を通過させた空気を室外へ排出する第１動作と、第２の吸着部材（52）で水分を吸着させた空気を室内側へ供給すると共に、加熱再生した第１の吸着部材（51）を通過させた空気を室外へ排出する第２動作とを交互に行う除湿機構（10a）と、
該除湿機構（10a）から室内側へ供給される除湿空気の温度を調節する冷却機構（100）とを備えた調湿装置であって、
上記冷却機構（100）は、ハウジング（101）と、該ハウジング（101）内に形成され、上記除湿機構（10a）から室内側へ供給される除湿空気が１次空気として通過する駆動空気通路（109）と、上記ハウジング（101）内に形成され、上記駆動空気通路（109）の１次空気によって外部空気を２次空気として吸引する吸引空気通路（110）とを備え、該吸引空気通路（110）の２次空気と上記駆動空気通路（109）の１次空気とを合流させて室内に吹き出すよう構成されている
ことを特徴とする調湿装置。
【請求項２】
請求項１において、
上記冷却機構（100）は、室内へ供給する空気の温度を調節する温度調節機構（115）を備えている
ことを特徴とする調湿装置。
【請求項３】
請求項２において、
上記温度調節機構（115）は、圧縮機（121）と、ハウジング（101）内において吸引空気通路（110）よりも空気の上流側に配置される室内側熱交換器（122）とを有し、熱媒体流体が循環する熱媒回路（120）に構成されている
ことを特徴とする調湿装置。
【請求項４】
請求項３において、
上記冷却機構（100）は、上記除湿機構（10a）の動作の切り換えに応じて圧縮機（121）の運転周波数を変化させる圧縮制御器（117a）を備えている
ことを特徴とする調湿装置。
【請求項５】
請求項４において、
上記圧縮機（121）は、所定の運転周波数に設定される第１運転状態と、該第１運転状態よりも高い運転周波数に設定される第２運転状態とを有し、
上記圧縮制御器（117a）は、第１動作及び第２動作の切換動作の前に上記圧縮機（121）の運転状態を第２運転状態に切り換えるよう構成されている
ことを特徴とする調湿装置。
【請求項６】
請求項２〜５の何れか１つにおいて、
上記冷却機構（100）は、温度調節機構（115）の温度を検知する第１温度検知器（118）と、外部空気の露点温度を検知する第２温度検知器（119）と、ハウジング（101）内への外部空気の流入を調節する弁機構（116）と、上記第１温度検知器（118）で検知された温度と第２温度検知器（119）で検知された露点温度とに基づいて上記弁機構（116）の開閉を制御する弁制御器（117b）とを備えている
ことを特徴とする調湿装置。
【請求項７】
請求項６において、
上記弁制御器（117b）は、上記第２温度検知器（119）で検知された露点温度よりも、上記第１温度検知器（118）で検知された温度調節機構（115）の温度が低いと、上記弁機構（116）を閉状態とするよう構成されている
ことを特徴とする調湿装置。
【請求項８】
請求項１〜７の何れか１つにおいて、
上記駆動空気通路（109）の出口側には、該駆動空気通路（109）を通過する空気の風速を調節する風速調節部材（108）が設けられている
ことを特徴とする調湿装置。
【発明の詳細な説明】
【技術分野】
【０００１】
本発明は、調湿装置に関し、特に、室内へ供給される除湿空気を冷却する冷却機構を備えた調湿装置に係るものである。
【背景技術】
【０００２】
従来より、室内等を除湿する除湿装置が広く知られている。この除湿装置として、２つの吸着素子を備え、各吸着素子で交互に空気を除湿するものがある。
【０００３】
特許文献１には、この種の除湿装置が開示されている。この除湿装置は、ケーシング内の空気通路に第１吸着素子と、第２吸着素子とが区画されて配置されている。吸着素子は、空気が流通可能な基材に水分を吸着する吸着剤が担持されて構成されている。また、ケーシング内には、各吸着素子の上流側に空気を加熱するための凝縮器（加熱手段）が設けられている。
【０００４】
特許文献１に開示される除湿装置では、以下のような２つのバッチ動作が交互に行われる。まず、第１バッチ動作では、第１吸着素子で空気中の水分が吸着され、空気が除湿される。除湿された空気は、室内へ供給される。また、第１バッチ動作では、凝縮器で加熱された空気が第２吸着素子へ供給され、第２吸着素子が加熱される。その結果、第２吸着素子から空気中へ水分が放出され、第２吸着素子（吸着剤）の再生が行われる。第２吸着素子の再生に利用された空気は、室外へ排出される。一方、第２バッチ動作では、第２吸着素子で空気中の水分が吸着され、同時に第１吸着素子の再生が行われる。以上のように、この除湿装置では、第１バッチ動作と第２バッチ動作とを所定時間置きに交互に切り換える、いわゆるバッチ動作を行うことで、各吸着素子の吸着性能（即ち、除湿性能）を低下させることなく、室内を連続的に除湿できるようにしている。
【先行技術文献】
【特許文献】
【０００５】
【特許文献１】特開２００４−６０９５４号公報
【発明の概要】
【発明が解決しようとする課題】
【０００６】
上記のように、２つのバッチ動作を交互に行う除湿装置では、再生側の吸着素子から水分を放出させるために、加熱手段で加熱した空気で吸着素子を昇温させている。このため、上述した２つのバッチ動作の切り換え直後には、再生側から吸着側へ遷移した吸着素子が未だ比較的高温になっていることがある。これにより、バッチ動作の切り換え直後には、比較的高温の空気が室内へ供給されてしまう。その結果、室内へ供給される空気の温度を一定に保つことができず、室内の温度環境が損なわれてしまう。また、半導体工場のクリーンルームや食品工場等、比較的高い精度での温度制御（例えば±２℃）の要求が課せられる空間の除湿に、上記の除湿装置を適用することが考えられる。この場合に、上述のようにして供給空気の温度が大きく変動すると、所望とする温度制御を行うことができず、品質管理等に多大な支障をもたらしてしまう。
【０００７】
本発明は、斯かる点に鑑みてなされたものであり、２つのバッチ動作を交互に切り換えて除湿動作を行う調湿装置において、室内へ供給される除湿空気の温度変動を抑制することを目的とする。
【課題を解決するための手段】
【０００８】
第１の発明は、内部を空気が流れるケーシング（11）に収容され且つ空気中の水分が吸着される第１及び第２の吸着部材（51,52）を備え、該第１の吸着部材（51）で水分を吸着させた空気を室内側へ供給すると共に加熱再生した第２の吸着部材（52）を通過させた空気を室外へ排出する第１動作と、第２の吸着部材（52）で水分を吸着させた空気を室内側へ供給すると共に、加熱再生した第１の吸着部材（51）を通過させた空気を室外へ排出する第２動作とを交互に行う除湿機構（10a）と、該除湿機構（10a）から室内側へ供給される除湿空気の温度を調節する冷却機構（100）とを備えた調湿装置であって、上記冷却機構（100）は、ハウジング（101）と、該ハウジング（101）内に形成され、上記除湿機構（10a）から室内側へ供給される除湿空気が１次空気として通過する駆動空気通路（109）と、上記ハウジング（101）内に形成され、上記駆動空気通路（109）の１次空気によって外部空気を２次空気として吸引する吸引空気通路（110）とを備え、該吸引空気通路（110）の２次空気と上記駆動空気通路（109）の１次空気とを合流させて室内に吹き出すよう構成されている。
【０００９】
上記第１の発明では、除湿機構（10a）において第１及び第２動作が交互に行われる。
【００１０】
まず、第１動作では、外部からケーシング（11）内に取り込まれた空気は、第１の吸着部材（51）を通過する。上記空気は第１の吸着部材（51）を通過する際に、該空気中に含まれる水分を第１の吸着部材（51）の吸着剤に吸着させて除湿空気となる。この除湿空気は、室内側へ送られる。同時に、ケーシング（11）内に取り込まれた空気は、吸着剤が加熱された第２の吸着部材（52）を通過する。このとき、第２の吸着部材（52）の吸着剤から脱離した水分は、第２の吸着部材（52）を通過する空気へ与えられ、該空気は加湿空気となる。そして、この加湿空気は排出空気として室外へ排出される一方、第２の吸着部材（52）の吸着剤が再生される。
【００１１】
次に、第２動作では、外部からケーシング（11）内に取り込まれた空気は、第２の吸着部材（52）を通過する。上記空気は第２の吸着部材（52）を通過する際に、該空気中に含まれる水分を第２の吸着部材（52）の吸着剤に吸着させて除湿空気となる。この除湿空気は、室内側へ送られる。同時に、ケーシング（11）内に取り込まれた空気は吸着剤が加熱された第１の吸着部材（51）を通過する。このとき、第１の吸着部材（51）の吸着剤から脱離した水分は、第１の吸着部材（51）を通過する空気へ与えられ、該空気は加湿空気となる。そして、この加湿空気は排出空気として室外へ排出される一方、第１の吸着部材（51）の吸着剤が再生される。
【００１２】
上記第１及び第２動作において、吸着剤で除湿されて室内側へ送られた除湿空気は、冷却機構（100）のハウジング（101）内に取り込まれる。ハウジング（101）内へ取り込まれた除湿空気は１次空気として駆動空気通路（109）を通過する。一方、ハウジング（101）内へ取り込まれた外部空気は２次空気として吸引空気通路（110）へ流入する。吸引空気通路（110）では、２次空気（外部空気）が駆動空気通路（109）を通過する１次空気（除湿空気）によって吸引される。そして、吸引された２次空気（外部空気）は、駆動空気通路（109）において１次空気（除湿空気）と合流して室内へ吹き出される。つまり、除湿空気（１次空気）と外部空気（２次空気）とが合流して室内へ供給される。
【００１３】
第２の発明は、上記第１の発明において、室内へ供給される空気の温度を調節する温度調節機構（115）を備えている。
【００１４】
上記第２の発明では、除湿機構（10a）の第１及び第２動作で室内側へ送られた除湿空気は、冷却機構（100）のハウジング（101）内に取り込まれる。同時に、冷却機構（100）のハウジング（101）内には、外部の空気が取り込まれる。該外部空気（２次空気）は、駆動空気通路（109）において１次空気（除湿空気）と合流して混合され、この混合空気が室内へ吹き出される。このとき、温度調節機構（115）は、上記除湿空気、外部空気又は混合空気の何れかの空気を冷却する。
【００１５】
第３の発明は、上記第２の発明において、上記温度調節機構（115）は、圧縮機（121）と、ハウジング（101）内において吸引空気通路（110）よりも空気の上流側に配置される室内側熱交換器（122）とを有し、熱媒体流体が循環する熱媒回路（120）に構成されている。
【００１６】
上記第３の発明では、除湿機構（10a）の第１及び第２動作中に室内側へ送られた除湿空気は、冷却機構（100）のハウジング（101）内に取り込まれる。同時に、冷却機構（100）のハウジング（101）内には、外部の空気が取り込まれる。一方、熱媒回路（120）では、圧縮機（121）で圧縮された熱媒体流体が上記熱媒回路（120）を循環して室内側熱交換器（122）に流入する。室内側熱交換器（122）では、熱媒体流体とハウジング（101）内に取り込まれた外部空気とが熱交換して該外部空気が冷却される。冷却された外部空気は２次空気として吸引空気通路（110）に流入する。吸引空気通路（110）では、２次空気（外部空気）が駆動空気通路（109）を通過する１次空気（除湿空気）によって吸引される。そして、吸引された２次空気（外部空気）は、駆動空気通路（109）において１次空気（除湿空気）と合流して室内へ吹き出される。つまり、除湿空気（１次空気）と外部空気（２次空気）とが合流して室内へ供給される。
【００１７】
第４の発明は、上記第３の発明において、上記冷却機構（100）は、上記除湿機構（10a）の動作の切り換えに応じて圧縮機（121）の運転周波数を変化させる圧縮制御器（117a）を備えている。
【００１８】
上記第４の発明では、除湿機構（10a）の第１及び第２動作中に室内側へ送られた除湿空気は、冷却機構（100）のハウジング（101）内に取り込まれる。同時に、冷却機構（100）のハウジング（101）内には、外部の空気が取り込まれる。一方、熱媒回路（120）では、上記除湿機構（10a）の両動作の切り換えに応じて圧縮機（121）の運転周波数を変化させる。圧縮機（121）の運転周波数が変化するのに伴って熱媒回路（120）の熱媒体流体の循環量が変化する。そして、熱媒回路（120）では、圧縮機（121）で圧縮された熱媒体流体が上記熱媒回路（120）を循環して室内側熱交換器（122）に流入する。室内側熱交換器（122）では、熱媒体流体とハウジング（101）内に取り込まれた外部空気とが熱交換して該外部空気が冷却される。冷却された外部空気は２次空気として吸引空気通路（110）に流入する。吸引空気通路（110）では、２次空気（外部空気）が駆動空気通路（109）を通過する１次空気（除湿空気）によって吸引される。そして、吸引された２次空気（外部空気）は、駆動空気通路（109）において１次空気（除湿空気）と合流して室内へ吹き出される。つまり、除湿空気（１次空気）と外部空気（２次空気）とが合流して室内へ供給される。
【００１９】
第５の発明は、上記第４の発明において、上記圧縮機（121）は、所定の運転周波数に設定される第１運転状態と、該第１運転状態よりも高い運転周波数に設定される第２運転状態とを有し、上記圧縮制御器（117a）は、第１動作及び第２動作の切換動作の前に上記圧縮機（121）の運転状態を第２運転状態に切り換えるよう構成されている。
【００２０】
上記第５の発明では、除湿機構（10a）の第１及び第２動作中は、圧縮機（121）の運転状態は、第１運転状態に設定される。そして、圧縮制御器（117a）は、除湿機構（10a）の両動作の切り換えの前に圧縮機（121）の運転状態を第２運転状態に設定する。圧縮機（121）の運転状態が第２運転状態に設定されると、運転周波数が高くなって熱媒回路（120）を循環する熱媒体流体量が増加する。熱媒回路（120）を循環する熱媒体流体量が増加すると、熱媒回路（120）の冷凍能力が増加する。つまり、両動作の切り換え前に圧縮機（121）の運転周波数を高くすることで両動作の切り換え直後に室内へ供給される空気の温度が低下する。
【００２１】
第６の発明は、上記第２〜第５の発明の何れか１つにおいて、上記冷却機構（100）は、温度調節機構（115）の温度を検知する第１温度検知器（118）と、外部空気の露点温度を検知する第２温度検知器（119）と、ハウジング（101）内への外部空気の流入を調節する弁機構（116）と、上記第１温度検知器（118）で検知された温度と第２温度検知器（119）で検知された露点温度とに基づいて上記弁機構（116）の開閉を制御する弁制御器（117b）とを備えている。
【００２２】
上記第６の発明では、第１温度検知器（118）が温度調節機構（115）の温度を検知する。そして、第２温度検知器（119）が外部空気の露点温度を検知する。弁制御器（117b）は、温度調節機構（115）の温度と外部空気の露点温度に基づいて弁機構（116）の開閉を制御する。弁機構（116）が開状態の場合は、ハウジング（101）内に外部空気が取り込まれる一方、弁機構（116）が閉状態の場合は、ハウジング（101）内に外部空気が取り込まれない。
【００２３】
第７の発明は、上記第６の発明において、上記弁制御器（117b）は、上記第２温度検知器（119）で検知された露点温度よりも、上記第１温度検知器（118）で検知された温度調節機構（115）の温度が低いと、上記弁機構（116）を閉状態とするよう構成されている。
【００２４】
上記第７の発明では、弁制御器（117b）は、上記第２温度検知器（119）で検知された露点温度よりも、第１温度検知器（118）で検知された温度調節機構（115）の温度が低いと、上記弁機構（116）を閉状態とする。弁機構（116）が閉状態の場合は、ハウジング（101）内に外部空気が取り込まれない。
【００２５】
第８の発明は、上記第１〜第７の発明において、上記駆動空気通路（109）の出口側には、該駆動空気通路（109）を通過する空気の風速を調節する風速調節部材（108）が設けられている。
【００２６】
上記第８の発明では、上記第１及び第２動作において、吸着剤で除湿されて室内側へ送られた除湿空気は、冷却機構（100）のハウジング（101）内に取り込まれる。ハウジング（101）内へ取り込まれた除湿空気は１次空気として駆動空気通路（109）を通過する。一方、ハウジング（101）内へ取り込まれた外部空気は２次空気として吸引空気通路（110）へ流入する。吸引空気通路（110）では、２次空気（外部空気）が駆動空気通路（109）を通過する１次空気（除湿空気）によって吸引される。そして、吸引された２次空気（外部空気）は、駆動空気通路（109）において１次空気（除湿空気）と合流して室内へ吹き出される。つまり、除湿空気（１次空気）と外部空気（２次空気）とが合流して室内へ供給される。
【発明の効果】
【００２７】
上記第１の発明によれば、駆動空気通路（109）において、除湿機構（10a）の除湿空気（１次空気）と外部空気（２次空気）とを合流させるようにしたため、室内へ供給する空気の温度を下げることができる。つまり、調湿装置が、別途冷却装置等を備えることなく、簡易な構成でもって両動作の切り換え直後における室内への供給空気を冷却することができる。これにより、室内へ供給される空気の温度変動を抑制することができる。この結果、半導体工場のクリーンルーム等での温度制御を高い精度で行うことができる。
【００２８】
上記第２の発明によれば、温度調節機構（115）を設けたため、室内へ供給する空気を冷却することができる。このため、駆動空気通路（109）において除湿機構（10a）の除湿空気（１次空気）と外部空気（２次空気）とを合流させた空気の冷却効果を高めることができる。これにより、室内へ供給される空気の温度変動を抑制することができる。この結果、半導体工場のクリーンルーム等での温度制御を高い精度で行うことができる。
【００２９】
上記第３の発明によれば、室内側熱交換器（122）を吸引空気通路（110）の空気の上流側に配置したため、外部空気（２次空気）を冷却してから吸引空気通路（110）に流入させることができる。このため、駆動空気通路（109）において除湿機構（10a）の除湿空気（１次空気）と外部空気（２次空気）とを合流させた空気の温度を下げることができる。これにより、室内へ供給される空気の温度変動を抑制することができる。この結果、半導体工場のクリーンルーム等での温度制御を高い精度で行うことができる。
【００３０】
上記第４の発明によれば、両動作の切り換えに合わせて圧縮機（121）の運転周波数を変えるようにしたため、両動作の切り換え前に圧縮機（121）の運転周波数を高くして外部空気（２次空気）の冷却効果を高めることができる。このため、両動作の切り換え後に駆動空気通路（109）において除湿機構（10a）の除湿空気（１次空気）と外部空気（２次空気）とを合流させた空気の温度を下げることができる。これにより、室内へ供給される空気の温度変動を抑制することができる。この結果、半導体工場のクリーンルーム等での温度制御を高い精度で行うことができる。
【００３１】
上記第５の発明によれば、両動作の切り換え前に、運転周波数を高くするようにしたため、両動作の切り換えの後において外部空気（２次空気）の冷却効果を高めることができる。このため、両動作の切り換え後に駆動空気通路（109）において除湿機構（10a）の除湿空気（１次空気）と外部空気（２次空気）とを合流させた空気の温度を下げることができる。これにより、室内へ供給される空気の温度変動を抑制することができる。この結果、半導体工場のクリーンルーム等での温度制御を高い精度で行うことができる。
【００３２】
上記第６の発明によれば、温度調節機構（115）の温度と外部空気の露点温度に基づいて弁機構（116）を開閉するようにしたため、温度調節機構（115）の温度が外部空気の露点温度よりも低い場合には弁機構（116）を閉じることができる。これにより、温度調節機構（115）において外部空気の結露が生じるのを確実に防止することができる。
【００３３】
上記第７の発明によれば、弁制御器（117b）は、温度調節機構（115）の温度が外部空気の露点温度よりも低い場合に弁機構（116）を閉じるようにしたため、温度調節機構（115）において外部空気の結露が生じるのを確実に防止することができる。
【００３４】
上記第８の発明によれば、風速調節部材（108）を設けたため、冷却機構（100）から吹き出す空気の風速を下げることができる。これにより、室内のユーザの快適性を向上させることができる。
【図面の簡単な説明】
【００３５】
【図１】実施形態１に係る調湿装置の全体構成を示す概略の模式図である。
【図２】実施形態１に係る調湿機構の全体構成を示す概略の斜視図である。
【図３】実施形態１に係る調湿機構の概略の全体構成を示す平面図、右側面図、及び左側面図である。
【図４】実施形態１に係る調湿機構の冷媒回路の構成を示す配管系統図であって、(A)は第１動作を示すものであり、(B)は第２動作を示すものである。
【図５】実施形態１に係る調湿機構の除湿換気運転の第１動作における空気の流れを示す調湿機構の概略の平面図、右側面図、及び左側面図である。
【図６】実施形態１に係る調湿機構の除湿換気運転の第２動作における空気の流れを示す調湿機構の概略の平面図、右側面図、及び左側面図である。
【図７】実施形態１に係る調湿機構の加湿換気運転の第１動作における空気の流れを示す調湿機構の概略の平面図、右側面図、及び左側面図である。
【図８】実施形態１に係る調湿機構の加湿換気運転の第２動作における空気の流れを示す調湿機構の概略の平面図、右側面図、及び左側面図である。
【図９】実施形態１に係る調湿装置の供給空気温度と時間との関係を示すグラフである。
【図１０】実施形態２に係る調湿装置の全体構成を示す概略の模式図である。
【図１１】実施形態２に係る空調機構の冷媒回路の構成を示す配管系統図である。
【図１２】実施形態２に係る調湿装置の圧縮機の運転周波数、供給空気温度、及び時間の関係を示すグラフであって、(A)は、圧縮機の運転周波数と時間との関係を示し、(B)は、供給空気温度と時間との関係を示す。
【発明を実施するための形態】
【００３６】
以下、本発明の実施形態を図面に基づいて詳細に説明する。
【００３７】
〈発明の実施形態１〉
図１に示すように、本実施形態１の調湿装置（10）は、調湿機構（10a）と、インダクションユニット（100）とで構成されている。調湿機構（10a）は、室内（1）の湿度調節と共に室内（1）の換気を行うものであり、取り込んだ室外空気（OA）を湿度調節して室内（1）側へ供給すると同時に、取り込んだ室内空気（RA）を室外に排出する。この調湿機構（10a）は、本発明に係る除湿機構を構成するものである。インダクションユニット（100）は、調湿機構（10a）から室内（1）側へ供給された除湿空気を冷却するものである。調湿機構（10a）とインダクションユニット（100）とは、後述する給気ダクト（22a）によって互いに接続されている。
【００３８】
〈調湿機構の構成〉
調湿機構（10a）について、図１，図２を適宜参照しながら説明する。なお、ここでの説明で用いる「上」「下」「左」「右」「前」「後」「手前」「奥」は、特にことわらない限り、調湿機構（10a）を前面側から見た場合の方向を意味している。
【００３９】
上記調湿機構（10a）は、ケーシング（11）を備えている。また、ケーシング（11）内には、冷媒回路（50）が収容されている。この冷媒回路（50）には、本発明に係る第１の吸着部材である第１吸着熱交換器（51）、本発明に係る第２の吸着部材である第２吸着熱交換器（52）、圧縮機（53）、四路切換弁（54）、及び電動膨張弁（55）が接続されている。冷媒回路（50）の詳細は後述する。
【００４０】
ケーシング（11）は、やや扁平で高さが比較的低い直方体状に形成されている。図２に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００４１】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００４２】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００４３】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００４４】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００４５】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００４６】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内（1）と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００４７】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００４８】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。尚、吸着剤としては、ゼオライト、シリカゲル、活性炭、親水性の官能基を有する有機高分子材料など、空気中の水分（水蒸気）を吸着できるものが用いられる。また、吸着剤として、いわゆる収着剤を用いてもよい。
【００４９】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００５０】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００５１】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００５２】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００５３】
上記構成において、内気側通路（32）と外気側通路（34）と給気側通路（31）と排気側通路（33）とにより、室外から室内（1）へ向かう空気通路と室内（1）から室外へ向かう空気通路とが構成され、この２つの空気通路により第１空気通路（61）と第２空気通路（62）が構成されている。そして、第１空気通路（61）側と第２空気通路（62）側にそれぞれ４つのダンパが含まれることになり、第１空気通路（61）と第２空気通路（62）における空気の流通経路が、上記ダンパ（41〜48）により切り換えられるように構成されている。
【００５４】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００５５】
給気ファン室（36）には、冷媒回路（50）の圧縮機（53）と四路切換弁（54）とが収容されている。圧縮機（53）及び四路切換弁（54）は、給気ファン室（36）における給気ファン（26）と仕切板（77）との間に配置されている。
【００５６】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００５７】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００５８】
なお、図３の右側面図及び左側面図では、第１バイパス通路（81）、第２バイパス通路（82）、第１バイパス用ダンパ（83）、及び第２バイパス用ダンパ（84）の図示を省略している。
【００５９】
〈冷媒回路の構成〉
図４に示すように、冷媒回路（50）は、第１吸着熱交換器（51）、第２吸着熱交換器（52）、圧縮機（53）、四路切換弁（54）、及び電動膨張弁（55）が設けられた閉回路である。この冷媒回路（50）は、充填された冷媒を循環させることによって、蒸気圧縮冷凍サイクルを行う。
【００６０】
冷媒回路（50）において、圧縮機（53）は、その吐出側が四路切換弁（54）の第１のポートに、その吸入側が四路切換弁（54）の第２のポートにそれぞれ接続されている。また、冷媒回路（50）では、第１吸着熱交換器（51）と電動膨張弁（55）と第２吸着熱交換器（52）とが、四路切換弁（54）の第３のポートから第４のポートへ向かって順に接続されている。
【００６１】
四路切換弁（54）は、第１のポートと第３のポートが連通して第２のポートと第４のポートが連通する第１状態（図４(Ａ)に示す状態）と、第１のポートと第４のポートが連通して第２のポートと第３のポートが連通する第２状態（図４(Ｂ)に示す状態）とに切り換え可能となっている。
【００６２】
冷媒回路（50）において、圧縮機（53）の吐出側と四路切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００６３】
また、冷媒回路（50）において、圧縮機（53）の吸入側と四路切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００６４】
また、冷媒回路（50）において、四路切換弁（54）の第３のポートと第１吸着熱交換器（51）とを繋ぐ配管には、配管温度センサ（95）が取り付けられている。配管温度センサ（95）は、この配管における四路切換弁（54）の近傍に配置され、配管内を流れる冷媒の温度を計測する。
【００６５】
以上説明した本実施形態１の調湿機構（10a）の構成を要約すると、ケーシング（11）内には、吸着剤が担持された第１の吸着部材としての第１吸着熱交換器（51）が配置される第１空気通路（61）と、吸着剤が担持された第２の吸着部材としての第２吸着熱交換器（52）が配置される第２空気通路（62）とが形成されている。また、このケーシング（11）内には、各吸着熱交換器（51，52）を加熱または冷却する冷媒回路（50）が設けられている。
【００６６】
また、ケーシング（11）内には、第１吸着熱交換器（51）を加熱して第２吸着熱交換器（52）を冷却する第１動作と第１吸着熱交換器（51）を冷却して第２吸着熱交換器（52）を加熱する第２動作を切り換える温度調節切換手段（54）と、上記第１空気通路（61）と第２空気通路（62）を交互に室内（1）への空気供給経路に切り換えるダンパ（41〜48）が設けられている。
【００６７】
上記冷媒回路（50）には、冷媒の循環方向を可逆に切り換えることが可能な四路切換弁（54）が設けられている。
【００６８】
〈インダクションユニットの構成〉
図１に示すように、インダクションユニット（100）は、調湿機構（10a）から供給された除湿空気を冷却するためのものである。インダクションユニット（100）は、本発明に係る冷却機構を構成している。インダクションユニット（100）は、室内（1）の天井（2）に設けられ、給気ダクト（22a）を介して調湿機構（10a）に接続されている。インダクションユニット（100）は、ハウジング（101）を有している。
【００６９】
上記ハウジング（101）は、室内（1）の天井（2）に形成された開口の上方に設けられ、下端に開口部（102）を有する箱体に形成されている。この開口部（102）によってハウジング（101）の内部空間と室内空間とが連通している。ハウジング（101）は、上板（101b）と、下側面板（101c）と、上側面板（101d）とで形成されている。
【００７０】
上記下側面板（101c）は、天井（2）位置から垂直上方向に延びる４枚の長方形状の平板に形成されている。上記上側面板（101d）は、各下側面板（101c）の上端から上方に延び、且つ内側に向かって傾斜した４枚の長方形状の平板に形成されている。上記上板（101b）は、四角形状の平板に形成され、その各辺が上側面板（101d）の上端に取り付けられている。上板（101b）には、調湿機構（10a）から送られる空気が導入するダクト導入口（104）が形成されている。ダクト導入口（104）は、円形の開口部に構成され、上板（101b）の中央部に形成されている。調湿機構（10a）から延びる給気ダクト（22a）は、ダクト導入口（104）を介してハウジング（101）の内部に挿入されている。
【００７１】
上記ハウジング（101）は、その内部に仕切板（105）が設けられている。仕切板（105）は、ハウジング（101）内の下側に設けられる拡径部（105a）と、該拡径部（105a）の上側に設けられる筒部（105b）とで構成されている。
【００７２】
上記筒部（105b）は、給気ダクト（22a）よりも一回り大きい外径寸法の筒状に形成され、その上端から給気ダクト（22a）の他端が挿通されている。
【００７３】
上記拡径部（105a）は、筒部（105b）の下端から下方に向かって拡がるように形成されている。拡径部（105a）の下端は、ハウジング（101）の開口部（102）とほぼ同等の高さ位置まで延びている。そして、ハウジング（101）の開口部（102）において、拡径部（105a）の内側が空気吹出口（102a）に形成される一方、外側が空気取込口（102b）に形成されている。
【００７４】
上記ハウジング（101）の内部には、該ハウジング（101）の内壁と仕切板（105）の外壁との間に形成され、且つ空気取込口（102b）と連通する外側空気通路（106）が形成されている。尚、図示はしないが、仕切板（105）は、ハウジング（101）の内部において、筒部（105b）と上板（101b）とを接続部材によって繋ぐことでハウジング（101）に接続されている。そして、拡径部（105a）の下端には、空気フィルタ（108）が設けられている。
【００７５】
上記空気フィルタ（108）は、後述する駆動空気通路（109）を通過する空気の風速を調節するものであって、本発明に係る風速調節部材を構成している。この空気フィルタ（108）は、拡径部（105a）の下端の内側に取り付けられ、空気吹出口（102a）を覆うように設けられている。空気フィルタ（108）によって室内（1）のユーザに対して直接吹き出る供給空気の風速が低下する。これにより、風が当たることでユーザが感じる不快感を低減させることができる。
【００７６】
また、ハウジング（101）内において、給気ダクト（22a）の出口（他端部）から空気吹出口（102a）までの間は、駆動空気通路（109）に形成されている。
【００７７】
上記駆動空気通路（109）は、調湿機構（10a）から吹き出された調湿空気が１次空気として通過する空気通路である。そして、筒部（105b）の内壁と給気ダクト（22a）の外壁との間には、吸引空気通路（110）が形成されている。
【００７８】
上記吸引空気通路（110）は、ハウジング（101）内に取り込まれた室内空気が、駆動空気通路（109）を通過する調湿空気（１次空気）によって２次空気として吸引される空気通路である。この室内空気は、ハウジング（101）の空気取込口（102b）から取り込まれた空気である。そして、駆動空気通路（109）では、該駆動空気通路（109）を通過する調湿空気（１次空気）の速度によって生じる負圧によって、外側空気通路（106）の室内空気が吸引空気通路（110）を介して駆動空気通路（109）に吸引される。駆動空気通路（109）では、調湿空気（１次空気）と室内空気（２次空気）とが合流する。つまり、比較的高温である調湿空気（１次空気）と該調湿空気よりも低い温度である室内空気（２次空気）とを混合させることで、室内へ吹き出す空気（SA）の温度が低下する。そして、混合した空気は、供給空気（SA）として空気吹出口（102a）から室内へ吹き出される。
【００７９】
−運転動作−
本実施形態１の調湿機構（10a）は、除湿換気運転（除湿運転）と、加湿換気運転（加湿運転）と、単純換気運転とを選択的に行う。尚、単純換気運転の動作については省略する。除湿換気運転中や加湿換気運転中の調湿機構（10a）は、取り込んだ室外空気（OA）を湿度調節してから供給空気（SA）としてインダクションユニット（100）を介して室内へ供給すると同時に、取り込んだ室内空気（RA）を排出空気（EA）として室外へ排出する。
【００８０】
〈除湿換気運転〉
除湿換気運転中の調湿機構（10a）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【００８１】
除湿換気運転中の調湿機構（10a）では、室外空気が外気吸込口（24）からケーシング（11）内へ第１空気として取り込まれ、室内空気が内気吸込口（23）からケーシング（11）内へ第２空気として取り込まれる。
【００８２】
先ず、除湿換気運転の第１動作について説明する。図５に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四路切換弁（54）が第１状態（図４(Ａ)に示す状態）に設定され、第１吸着熱交換器（51）が凝縮器となって第２吸着熱交換器（52）が蒸発器となる。
【００８３】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って給気ダクト（22a）へ流入して室内側へ送られ、インダクションユニット（100）を介して室内(1)へ供給される。
【００８４】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００８５】
次に、除湿換気運転の第２動作について説明する。図６に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四路切換弁（54）が第２状態（図４(Ｂ)に示す状態）に設定され、第１吸着熱交換器（51）が蒸発器となって第２吸着熱交換器（52）が凝縮器となる。
【００８６】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って給気ダクト（22a）へ流入して室内側へ送られ、インダクションユニット（100）を介して室内(1)へ供給される。
【００８７】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００８８】
〈インダクションユニットの動作〉
除湿換気運転中に、各吸着熱交換器（51,52）で水分が吸着された空気は、給気ファン室（36）を通過後に給気口（22）を通って給気ダクト（22a）へ流入して室内側へ送られ、インダクションユニット（100）に流入する。
【００８９】
上記インダクションユニット（100）では、給気ダクト（22a）を通過してハウジング（101）の内部に除湿空気が流入する。そして、除湿空気は、給気ダクト（22a）の他端から駆動空気通路（109）に１次空気として流入する。一方、室内空気は、空気取込口（102b）からハウジング（101）内の外側空気通路（106）に流入する。そして、外側空気通路（106）へ流入した室内空気は、駆動空気通路（109）を通過する除湿空気（１次空気）の速度により生じる負圧によって、吸引空気通路（110）を介して駆動空気通路（109）に吸い込まれる。駆動空気通路（109）では、除湿空気（１次空気）と吸引された室内空気（２次空気）とが合流し、供給空気が、図９に破線で示す温度となって、室内へ吹き出る。尚、図９の実線は、従来の調湿機構の供給空気の温度を示している。
【００９０】
〈加湿換気運転〉
加湿換気運転中の調湿機構（10a）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【００９１】
加湿換気運転中の調湿機構（10a）では、室外空気が外気吸込口（24）からケーシング（11）内へ第２空気として取り込まれ、室内空気が内気吸込口（23）からケーシング（11）内へ第１空気として取り込まれる。
【００９２】
先ず、加湿換気運転の第１動作について説明する。図７に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四路切換弁（54）が第１状態（図４(Ａ)に示す状態）に設定され、第１吸着熱交換器（51）が凝縮器となって第２吸着熱交換器（52）が蒸発器となる。
【００９３】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００９４】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って給気ダクト（22a）へ流入して室内側へ送られ、インダクションユニット（100）を介して室内へ供給される。
【００９５】
次に、加湿換気運転の第２動作について説明する。図８に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四路切換弁（54）が第２状態（図４(Ｂ)に示す状態）に設定され、第１吸着熱交換器（51）が蒸発器となって第２吸着熱交換器（52）が凝縮器となる。
【００９６】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００９７】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って給気ダクト（22a）へ流入して室内側へ送られ、インダクションユニット（100）を介して室内へ供給される。
【００９８】
−実施形態１の効果−
上記実施形態１によれば、駆動空気通路（109）において、調湿機構（10a）の除湿空気（１次空気）と室内空気（２次空気）とを合流させるようにしたため、室内へ供給する空気を冷却することができる。つまり、調湿装置（10）が、別途冷却装置等を備えることなく、簡易な構成でもって両動作の切り換え直後における室内への供給空気を冷却することができる。これにより、室内へ供給される空気の温度変動を抑制することができる。この結果、半導体工場のクリーンルーム等での温度制御を高い精度で行うことができる。
【００９９】
また、空気フィルタ（108）を設けたため、インダクションユニット（100）から吹き出す空気の風速を下げることができる。これにより、室内のユーザの快適性を向上させることができる。
【０１００】
〈発明の実施形態２〉
次に本実施形態２について図面に基づいて説明する。
【０１０１】
本実施形態２に係る調湿装置（10）は、上記実施形態１に係るインダクションユニット（100）の構成が異なるものである。本実施形態２に係るインダクションユニット（100）は、実施形態１に係るインダクションユニット（100）に加えて、図１０及び図１１に示すように、空調機構（115）と、空気ダンパ（116）と、露点温度センサ（119）と、冷媒温度センサ（118）と、コントローラ（117）とを備えている。尚、本実施形態２に係る空調機構（115）は、室内の空調を行う空調装置を兼ねるものである。
【０１０２】
具体的に、上記空気ダンパ（116）は、ハウジング（101）の下側面板（101c）の内側に取り付けられ、ハウジング（101）の空気取込口（102b）を覆うように設けられている。空気ダンパ（116）は、コントローラ（117）に接続され、該コントローラ（117）によって開閉状態を制御されている。つまり、空気ダンパ（116）が開状態であると、空気取込口（102b）を介して室内空気が外側空気通路（106）内に流入する一方、空気ダンパ（116）が閉状態であると、室内空気がハウジング（101）内に取り込まれなくなる。また、空気取込口（102b）の近傍には、露点温度センサ（119）が配置されている。
【０１０３】
上記露点温度センサ（119）は、室内空気の露点温度を検知するものであって、本発明に係る第２温度検知器を構成している。露点温度センサ（119）は、コントローラ（117）に接続され、計測した露点温度データを、随時、コントローラ（117）へ送るように構成されている。
【０１０４】
上記空調機構（115）は、調湿機構（10a）から供給される除湿空気の温度を調節するものであって、本発明に係る温度調節機構を構成している。空調機構（115）は、冷媒回路（120）を有している。この冷媒回路（120）は、利用側熱交換器である室内熱交換器（122）、熱源側熱交換器である室外熱交換器（123）、圧縮機（121）、膨張機構である電動膨張弁（124）、四路切換弁（125）、及び利用側熱交換器である室内熱交換器（122）とが連絡配管によって順に接続されて構成されている。冷媒回路（120）は、充填された冷媒を循環させることによって、蒸気圧縮冷凍サイクルを行う。
【０１０５】
上記室内熱交換器（122）は、いわゆるフィン・アンド・チューブ熱交換器に構成され、ハウジング（101）の内部に設けられている。室内熱交換器（122）は、ハウジング（101）の内部の外側空気通路（106）における筒部（105b）の下端部に対応する高さ位置で、且つ筒部（105b）の外周囲に亘って配置されている。つまり、この室内熱交換器（122）は、外側空気通路（106）において、吸引空気通路（110）よりも空気の上流側に配置されている。室内熱交換器（122）には、該室内熱交換器（122）の伝熱管の近傍に冷媒温度センサ（118）が取り付けられている。
【０１０６】
上記冷媒温度センサ（118）は、伝熱管の内部を流れる冷媒の温度を検知するものであって、本発明に係る第１温度検知器を構成している。冷媒温度センサ（118）は、コントローラ（117）に接続され、計測した冷媒の温度データを、随時、コントローラ（117）へ送るように構成されている。また、外側空気通路（106）には、室内熱交換器（122）の下流側に枠体（図示なし）が設置されている。枠体は、室内熱交換器（122）に沿うような板状に形成され、且つ該熱交換器（122）を通過した空気が流通可能な空気開口部が形成されている。
【０１０７】
上記四路切換弁（125）の切換動作により、上記冷媒回路（120）は、冷房運転状態から暖房運転状態、又は暖房運転状態から冷房運転状態への切り換えが可能に構成されている。ここで、冷房運転状態とは、上記四路切換弁（125）が、第１ポートと第４ポートとが連通すると同時に第２ポートと第３ポートとが連通する第１状態（図１１に実線で示す）に切り換えられた場合の運転状態であり、暖房運転状態とは、第１ポートと第３ポートとが連通すると同時に第２ポートと第４ポートとが連通する第２状態（図１１に破線で示す）に切り換えられた場合の運転状態である。
【０１０８】
上記圧縮機（121）は、冷媒を圧縮する圧縮機構と、圧縮機構を駆動する電動機とが１つのケーシングに収容された全密閉型の圧縮機である。尚、この圧縮機（121）は、本発明に係る圧縮機を構成している。圧縮機（121）の電動機へ供給する交流の周波数（即ち、圧縮機（121）の運転周波数）を変化させると、電動機により駆動される圧縮機構の回転速度が変化し、単位時間当たりに圧縮機（121）から吐出される冷媒の量が変化する。つまり、この圧縮機（121）は、容量可変に構成されている。
【０１０９】
上記コントローラ（117）は、圧縮制御部（117a）と、空気ダンパ制御部（117b）とを有している。コントローラ（117）は、調湿機構（10a）の動作を制御する制御機器と、空調機構（115）の圧縮機（121）と、空気ダンパ（116）と、露点温度センサ（119）と、冷媒温度センサ（118）とに接続されている。コントローラ（117）は、調湿機構（10a）に接続されることで調湿機構（10a）において制御される各ダンパ（41〜48）の切り換え動作信号等が入力され、露点温度センサ（119）に接続されることで室内空気の露点温度のデータが入力され、冷媒温度センサ（118）に接続されることで、室内熱交換器（122）の冷媒温度のデータが入力される。
【０１１０】
上記圧縮制御部（117a）は、調湿機構（10a）の各ダンパ（41〜48）の切り換え動作に合わせて空調機構（115）の圧縮機（121）の運転周波数を変化させるものであって、本発明に係る圧縮制御器を構成している。具体的に、まず、圧縮制御部（117a）は、調湿機構（10a）の第１動作及び第２動作中では、室内の空調負荷に応じた所定の運転周波数によって圧縮機（121）を運転する（第１運転状態）。次に、圧縮制御部（117a）は、図１２（A）に示すように、両動作の切り換え前に、圧縮機（121）の周波数を、上記第１運転状態での圧縮機（121）の運転周波数よりも高い運転周波数で運転する（第２運転状態）。両動作の切り換え前に、圧縮機（121）の運転周波数を第２状態にすると、冷媒回路（120）の冷却能力が増加することで、両動作の切り換え直後の外側空気通路（106）の室内空気（２次空気）が冷却される。つまり、両動作の切り換え直後において、駆動空気通路（109）で１次空気と合流し、合流した空気の温度が低下した後に室内へ吹き出される。尚、図１２（B）の実線は、従来の調湿機構の供給空気の温度を示す一方、破線は、本実施形態２に係る調湿機構（10a）の供給空気の温度を示している。
【０１１１】
上記空気ダンパ制御部（117b）は、露点温度センサ（119）が検知した露点温度と、冷媒温度センサ（118）が検知した冷媒温度とに基づいて空気ダンパ（116）の開閉状態を制御するものであって、本発明に係る弁制御器を構成している。具体的に、まず、空気ダンパ制御部（117b）は、同時刻において、露点温度センサ（119）から送られた露点温度と冷媒温度センサ（118）から送られた冷媒温度との比較を行う。次に、空気ダンパ制御部（117b）は、冷媒温度（すなわち蒸発温度）が室内空気の露点温度よりも低い場合は、室内熱交換器（122）において結露が発生すると判断し、空気ダンパ（116）を閉鎖する。空気ダンパ（116）を閉鎖すると、ハウジング（101）内に室内空気が取り込まれなくなり、室内熱交換器（122）において結露が発生するのを確実に防止することができる。また、冷媒温度（すなわち蒸発温度）が室内空気の露点温度よりも高い場合は、室内熱交換器（122）において結露が発生しないと判断し、空気ダンパ（116）を開く。
【０１１２】
−実施形態２の効果−
上記実施形態２によれば、空調機構（115）を設けたため、ハウジング（101）内に取り込んだ室内空気（２次空気）を冷却することができる。このため、駆動空気通路（109）において調湿機構（10a）の除湿空気（１次空気）と室内空気（２次空気）とを合流させた空気の温度を下げることができる。また、室内熱交換器（122）を吸引空気通路（110）の空気の上流側に配置したため、室内空気（２次空気）を冷却してから吸引空気通路（110）に流入させることができる。このため、駆動空気通路（109）において調湿機構（10a）の除湿空気（１次空気）と室内空気（２次空気）とを合流させた空気の温度を下げることができる。
【０１１３】
さらに、両動作の切り換え前に、圧縮機（121）の運転周波数を高くするようにしたため、両動作の切り換えの後において室内空気（２次空気）を冷却効果を高めることができる。このため、両動作の切り換え後に駆動空気通路（109）において調湿機構（10a）の除湿空気（１次空気）と室内空気（２次空気）とを合流させた空気の温度を下げることができる。これにより、室内へ供給される空気の温度変動を抑制することができる。この結果、半導体工場のクリーンルーム等での温度制御を高い精度で行うことができる。
【０１１４】
また、空調機構（115）の温度と室内空気の露点温度に基づいて空気ダンパ（116）を開閉するようにしたため、室内熱交換器（122）の冷媒の温度が室内空気の露点温度よりも低い場合には空気ダンパ（116）を閉じることができる。これにより、室内熱交換器（122）において結露が生じるのを確実に防止することができる。その他の構成・作用・及び効果は実施形態１と同様である。
【０１１５】
〈その他の実施形態〉
本発明は、上記実施形態１について、以下のような構成としてもよい。
【０１１６】
上記実施形態１では、本発明に係る除湿機構として吸着熱交換器（51,52）を用いる調湿機構（10a）を用いるようにしたが、本発明は、その他、いわゆるバッチ切り換え式の徐加湿装置等に対して適用することができる。
【０１１７】
上記実施形態２では、露点温度センサ（119）を用いて室内空気の露点温度を検知するようにしたが、本発明に係る露点温度検知手段としては、例えば、調湿装置等に通常備えられている室内温度センサ及び室内湿度センサ等のデータを用いて室内空気の露点温度を求めるようにしてもよい。また、その他の手段によって室内空気の露点温度を求めるようにしてもよい。
【０１１８】
尚、以上の実施形態は、本質的に好ましい例示であって、本発明、その適用物、あるいはその用途の範囲を制限することを意図するものではない。
【産業上の利用可能性】
【０１１９】
以上説明したように、本発明は、調湿装置から室内へ供給される除湿空気を冷却する冷却機構について有用である。
【符号の説明】
【０１２０】
１０ａ        調湿機構
１１          ケーシング
５１          第１吸着熱交換器
５２          第２吸着熱交換器
１００        インダクションユニット
１０１        ハウジング
１０８        空気フィルタ
１０９        駆動空気通路
１１０        吸引空気通路
１１５        空調機構
１１６        空気ダンパ
１１７ａ      圧縮制御部
１１７ｂ      空気ダンパ制御部
１１８        冷媒温度センサ
１１９        露点温度センサ
１２０        冷媒回路
１２１        圧縮機
１２２        室内熱交換器
【図１】
2010286197.tif 000003
【図２】
2010286197.tif 000004
【図３】
2010286197.tif 000005
【図４】
2010286197.tif 000006
【図５】
2010286197.tif 000007
【図６】
2010286197.tif 000008
【図７】
2010286197.tif 000009
【図８】
2010286197.tif 000010
【図９】
2010286197.tif 000011
【図１０】
2010286197.tif 000012
【図１１】
2010286197.tif 000013
【図１２】
2010286197.tif 000014